(57)【要約】      （修正有）【課題】排水性能に優れ、夾雑物の堆積抑制及び溝形成床材の溝掃除が容易で、溝形成床材の取付け位置と排水管の取付け位置とが溝幅方向で位置ずれしている場合の対応も容易なドレイン排水処理装置を提供する。【解決手段】ドレイン用の排水溝３を形成してある溝形成床材４に、排水溝３を幅方向で複数の排水溝部３Ａ，３Ｂに区画形成する仕切り部８を設けるとともに、溝形成床材４に対して脱着可能な取付け基材５には、ドレイン用の排水管からの排水を複数の排水溝部３Ａ，３Ｂの一つに流入案内する流入案内具７と、流入案内具７の排水位置を排水溝３の幅方向に変更する排水位置変更手段Ａを設けた。【選択図】図７
2014224368.tif 000002
【特許請求の範囲】
【請求項１】
ドレイン用の排水溝を形成してある溝形成床材に、前記排水溝を幅方向で複数の排水溝部に区画形成する仕切り部を設けるとともに、前記溝形成床材に対して脱着可能な取付け基材には、ドレイン用の排水管からの排水を前記複数の排水溝部の一つに流入案内する流入案内具と、この流入案内具の排水位置を前記排水溝の幅方向に変更する排水位置変更手段とを設けてあるドレイン排水処理装置。
【請求項２】
前記排水溝部内の排水の水位が設定水位に到達したとき、この排水溝部内の排水を前記仕切り部の上部を通過して隣接する他の排水溝部にオーバーフローさせる構成にしてある請求項１記載のドレイン排水処理装置。
【請求項３】
前記排水位置変更手段を構成するに、前記取付け基材が、前記溝形成床材に対して溝長手方向での前後向きを変更可能な状態で装着されているとともに、この取付け基材の溝幅方向の一側方に偏位した部位において、前記流入案内具を溝長手方向での前後向きを変更可能な状態で脱着自在に保持する保持部が設けられている請求項１又は２記載のドレイン排水処理装置。
【請求項４】
前記取付け基材には、前記溝形成床材の幅方向両側の側壁部に形成された被嵌合部に対して脱着自在に嵌合する嵌合部と、当該嵌合部が前記被嵌合部に嵌合されたとき、前記溝形成床材の排水溝の内側面に接触して当該排水溝を幅方向で遮断する堰部とが形成されている請求項１〜３のいずれか１項に記載のドレイン排水処理装置。
【請求項５】
前記保持部が、前記取付け基材の幅方向の一側方に偏位した部位に設けられた被係合部と、この被係合部に対して溝長手方向から係合可能な状態で前記流入案内具に設けた係合部とから構成されているとともに、前記被係合部に対して溝長手方向から係合操作された前記係合部を設定係合深さ位置に規制する位置規制部が設けられている請求項３記載のドレイン排水処理装置。
【発明の詳細な説明】
【技術分野】
【０００１】
本発明は、冷暖房用空調機や潜熱回収型給湯装置等のドレイン排水発生機器から排出されるドレイン排水を通路やベランダ等の床面に沿って所定排水箇所にまで排出案内するドレイン排水処理装置に関する。
詳しくは、ドレイン用の排水溝を形成してある溝形成床材と、ドレイン用の排水管からの排水を前記排水溝に流入案内する流入案内具とが備えられているドレイン排水処理装置に関する。
【背景技術】
【０００２】
従来から種々の構造のドレイン排水処理装置が提案されており、例えば、特許文献１、２では、前記溝形成床材の幅方向両側の側壁部の内面に、排水溝の開口部を閉止する蓋部材を溝長手方向からスライド移動自在に嵌合保持する嵌合凹部又は嵌合凸部を形成するとともに、前記流入案内具を、溝形成床材の両側壁部の嵌合凹部又は凸部における上流側端部に対してスライド移動自在に嵌合保持する取付け板材と、当該取付け板材の溝幅方向中央部において溝形成床材の排水溝に向かって開口し、かつ、前記排水管と接続可能な流入案内筒とを一体形成し、排水管からの排水を排水溝の幅方向略全域に流入案内するように構成している。
【先行技術文献】
【特許文献】
【０００３】
【特許文献１】特開２００７−１１３３５５号公報
【特許文献２】特開２０１０−２８６１５４号公報
【特許文献３】特開２００７−３１５１２１号公報
【発明の概要】
【発明が解決しようとする課題】
【０００４】
従来のドレイン排水処理装置では、排水管から流入案内具を経由して溝形成床材の排水溝に流入案内された排水が排水溝の幅全体に拡散しながら流動するため、排水溝の幅方向での平均水位が浅くなり、排水の水圧低下によって排水性能が低下するとともに、排水中のゴミ等の夾雑物が溜まり易くなる。
【０００５】
また、溝形成床材の排水溝に流入案内された排水が排水溝の幅全体に拡散しながら流動する関係上、冬季に排水が層状に凍結し易くなる。
【０００６】
そのため、上述のように夾雑物の堆積又は排水の凍結によって排水溝が詰まると、排水が溝形成床材の外部に漏洩する不都合がある。
【０００７】
また、このような不都合を解消する方法として、例えば、特許文献３に示すように、溝形成床材の排水溝の底面における幅方向の１箇所又は複数箇所に、当該排水溝よりも一段深い小幅溝を形成するか、或いは、溝形成床材の排水溝の底面を横断面視においてＶ字状に形成して、水量と水深による水圧を確保する方法が提案されている。
【０００８】
これによる場合でも、排水溝の底面の小幅溝又はＶ字状の排水溝に夾雑物が堆積するか、或いは、排水が層状に凍結すると、排水が排水溝の幅全体に拡散しながら流動するため、上述と同様に、排水性能の低下や夾雑物の堆積による排水溝の詰まり等を招来する問題がある。
【０００９】
また、溝形成床材は、一般に、接着剤等で床面に固定して使用されるため、この固定された溝形成床材の取付け位置とドレイン排水発生機器側から導出される排水管の取付け位置とが溝幅方向で位置ずれしている施工現場においては、排水管が例えば、硬質塩化ビニル管等のように撓み変形量が小さな管であると、排水管を溝形成床材に嵌合保持されている流入案内具の流入案内筒に接続することができない事態が発生する。この場合、排水管をステンレス製フレキシブル管等の撓み変形量の大きな管に付け替える必要があり、施工の煩雑化と施工コストの高騰化を将来し易い。
【００１０】
本発明は、上述の実状に鑑みて為されたものであって、その主たる課題は、溝形成床材の排水溝と流入案内具との合理的な改良により、排水性能の向上と夾雑物の堆積抑制及び溝形成床材の溝掃除の容易化とを図ることができるとともに、溝形成床材の取付け位置と排水管の取付け位置とが溝幅方向で位置ずれしている場合の対応も容易に行うことのできるドレイン排水処理装置を提供する点にある。
【課題を解決するための手段】
【００１１】
本発明による第１の特徴構成は、ドレイン用の排水溝を形成してある溝形成床材に、前記排水溝を幅方向で複数の排水溝部に区画形成する仕切り部を設けるとともに、前記溝形成床材に対して脱着可能な取付け基材には、ドレイン用の排水管からの排水を前記複数の排水溝部の一つに流入案内する流入案内具と、この流入案内具の排水位置を前記排水溝の幅方向に変更する排水位置変更手段とを設けてある点にある。
【００１２】
上記構成によれば、流入案内具の排水位置を複数の排水溝部中から一つ選定することにより、排水溝全体を使用する場合に比して、一つの排水溝部の幅方向での平均水位が深くなり、この排水溝部に流入した排水を水量及び水圧の増加によって円滑に排出することができるとともに、排水中の夾雑物が堆積することを抑制することができる。
【００１３】
しかも、床面に接着剤等で固定された溝形成床材の取付け位置とドレイン排水発生機器側から導出される排水管の取付け位置とが溝幅方向で位置ずれした場合でも、排水位置変更手段によって流入案内具の排水位置を溝幅方向に変更することによって位置ずれを吸収することができる。
【００１４】
また、溝形成床材の溝掃除を行う場合、排水位置変更手段によって流入案内具の排水位置を使用中の排水溝部から未使用の排水溝部に変更することにより、ドレイン排水の排出を継続しながら使用していた排水溝部の掃除を行うことができる。
【００１５】
したがって、排水性能の向上と夾雑物の堆積抑制及び溝形成床材の溝掃除の容易化とを図ることができるとともに、溝形成床材の取付け位置と排水管の取付け位置とが溝幅方向で位置ずれしている場合の対応も容易に行うことができる。
【００１６】
本発明による第２の特徴構成は、前記排水溝部内の排水の水位が設定水位に到達したとき、この排水溝部内の排水を前記仕切り部の上部を通過して隣接する他の排水溝部にオーバーフローさせる構成にしてある点にある。
【００１７】
上記構成によれば、使用中の排水溝部の途中が夾雑物で詰まった場合や排水の凍結によって詰まりが発生した場合でも、この詰まり箇所の上流側において、使用中の排水溝部内の排水を仕切り部の上部を通過して隣接する他の排水溝部へスムーズにオーバーフローさせることができるから、排水が溝形成床材の外部に漏洩することを抑制することができる。
【００１８】
さらに、使用中の排水溝部に流入案内される排水の水量が、当該排水溝部での排水能力以上に一時的に増加した場合でも、この排水溝部内の排水を仕切り部の上部を通過して隣接する他の排水溝部へスムーズにオーバーフローさせることができるから、一時的に増水した排水が溝形成床材の外部に漏洩することも抑制することができる。
【００１９】
したがって、夾雑物の堆積又は凍結による排水溝部の詰まりが発生したとき及び排水が一時的に増加したときの対応も自動的に行うことができる。
【００２０】
本発明による第３の特徴構成は、前記排水位置変更手段を構成するに、前記取付け基材が、前記溝形成床材に対して溝長手方向での前後向きを変更可能な状態で装着されているとともに、この取付け基材の溝幅方向の一側方に偏位した部位において、前記流入案内具を溝長手方向での前後向きを変更可能な状態で脱着自在に保持する保持部が設けられている点にある。
【００２１】
上記構成によれば、流入案内具の排水位置を変更する必要が生じた場合、溝形成床材に対する取付け基材の前後向きの反転装着操作と、この取付け基材の溝幅方向の一側方に偏位した部位での保持部に対する流入案内具の前後向きの反転装着操作とを行うだけで済み、排水位置変更操作の容易化と排水位置変更手段の構造の簡素化を図ることができる。
【００２２】
本発明による第４の特徴構成は、前記取付け基材には、前記溝形成床材の幅方向両側の側壁部に形成された被嵌合部に対して脱着自在に嵌合する嵌合部と、当該嵌合部が前記被嵌合部に嵌合されたとき、前記溝形成床材の内側面に接触して当該排水溝を幅方向で遮断する堰部とが形成されている点にある。
【００２３】
上記構成によれば、取付け基材の嵌合部を溝形成床材の被嵌合部に嵌合操作すると、この取付け基材に形成されている堰部が溝形成床材の内側面に接触して排水溝を幅方向で遮断するから、流入案内具から一つの排水溝部に流入案内された排水が上流側に逆流することを防止することができる。
【００２４】
本発明による第５の特徴構成は、前記保持部が、前記取付け基材の幅方向の一側方に偏位した部位に設けられた被係合部と、この被係合部に対して溝長手方向から係合可能な状態で前記流入案内具に設けた係合部とから構成されているとともに、前記被係合部に対して溝長手方向から係合操作された前記係合部を設定係合深さ位置に規制する位置規制部が設けられている点にある。
【００２５】
上記構成によれば、取付け基材の保持部に対して流入案内具を反転装着操作する際、この保持部を構成する取付け基材側の被係合部に対して流入案内具側の係合部を、位置規制部にて規制される位置にまで溝長手方向から係合操作するだけで、流入案内具の係合部を設定係合深さ位置に確実に装着することができる。
【図面の簡単な説明】
【００２６】
【図１】本発明の第１実施形態のドレイン排水処理装置の施工状態を示す斜視図
【図２】流入案内具を取外し操作したときの斜視図
【図３】取付け基材を前後反転操作したときの斜視図
【図４】流入案内具を装着操作するときの斜視図
【図５】流入案内具を装着操作するときの縦断面図
【図６】図１におけるＶＩ−ＶＩ線での要部の断面図
【図７】取付け基材及び流入案内具を溝形成床材から分離したときの横断面図
【図８】図１におけるＶＩＩＩ−ＶＩＩＩ線断面図
【図９】取付け基材及び流入案内具の平面図
【図１０】取付け基材に蓋部材を装着したときの横断面図
【図１１】本発明の第２実施形態のドレイン排水処理装置を示す取付け基材と流入案内具との分離状態での斜視図
【図１２】本発明の第２実施形態の取付け基材と流入案内具との係合状態での縦断面図
【図１３】本発明の第３実施形態のドレイン排水処理装置を示す取付け基材と流入案内具との分離状態での斜視図
【図１４】本発明の第４実施形態のドレイン排水処理装置を示す取付け基材と流入案内具との分離状態での斜視図
【図１５】本発明の第４実施形態の要部の一部切欠き側面図
【発明を実施するための形態】
【００２７】
〔第１実施形態〕
図１は、冷暖房用空調機の冷房運転時に発生する結露水、或いは、燃焼排ガス中の水蒸気の潜熱によって水を加熱する潜熱回収型給湯装置の給湯運転時に発生する凝縮水等のドレイン排水を通路（共通廊下）やベランダ等の床面１の勾配に沿って所定排水箇所である側溝２にまで排出案内するドレイン排水処理装置を示す。
【００２８】
このドレイン排水処理装置には、ドレイン用の一直線状の上方開口の排水溝３を形成してある合成樹脂製（例えば、ポリ塩化ビニル製）の溝形成床材４と、これの上流側端部に対して脱着可能な合成樹脂製（例えば、ポリ塩化ビニル製）の取付け基材５とを備え、この取付け基材５には、冷暖房用空調機や潜熱回収型給湯装置等のドレイン排水発生機器から導出されている樹脂製又は金属製のドレイン用の排水管６が接続可能な円筒状の接続部７Ａを有し、且つ、排水管６からの排水を溝形成床材４の排水溝３に流入案内する合成樹脂製（例えばポリ塩化ビニル製）の流入案内具７が装備されている。
【００２９】
溝形成床材４の排水溝３の底面（内底面）４ａには、図７、図８に示すように、当該排水溝３を幅方向で左右対称形の二つの排水溝部３Ａ、３Ｂに区画形成する仕切り部８が一体形成され、この仕切り部８の上端の高さは、溝形成床材４における幅方向両側の側壁部４Ａの上端の高さよりも少し低く構成され、一方の使用中の排水溝部３Ａ内の排水の水位が設定水位に到達したとき、この使用中の排水溝部３Ａから仕切り部８の上端である頂点（稜線）を通過して隣接する他方の排水溝部３Ｂへ排水をオーバーフローさせると共に、排水の一部が溝形成床材４の側壁部４Ａを越えて外部に漏洩することを防止する。
【００３０】
そして、図１〜図４に示すように、流入案内具７は、ドレイン用の排水管６からの排水を溝形成床材４の両排水溝部３Ａ、３Ｂの一つに流入案内可能な状態で取付け基材５に対して脱着自在に構成されているとともに、溝形成床材４の両排水溝部３Ａ、３Ｂに対する流入案内具７の排水位置を溝幅方向に変更する排水位置変更手段Ａが設けられている。
【００３１】
溝形成床材４の仕切り部８は、排水溝３の底面４ａにおける両排水溝部３Ａ、３Ｂの境界部位（当該実施形態では溝形成床材４の幅方向中央位置）での高さが両排水溝部３Ａ、３Ｂでのオーバーフロー水位と同じ位置になる状態で当該排水溝３の底面４ａ全体を逆Ｖ字状の山形状に形成することにより構成されている。
【００３２】
この排水溝３の底面４ａ全体を利用した仕切り部８の山形形成により、一方の排水溝部３Ａの底面部４ａａ及び他方の排水溝部３Ｂの底面部４ａｂが、排水溝３の幅方向一端側部位である外端側部位又はその近傍が最低位となる傾斜面に形成されている。
【００３３】
そのため、一方の排水溝部３Ａ及び他方の排水溝部３Ｂに流入した排水の各々は、各傾斜姿勢の底面部４ａａ，４ａｂの最低位側に流れ込むから、各排水溝部３Ａ、３Ｂの幅方向における最低位側での水量の増加によって水位が深くなり、排水を水量及び水圧の増加によって円滑に排出することができるとともに、排水中の夾雑物が堆積することも抑制することができる。
【００３４】
また、長年月の使用に伴って一方の使用中の排水溝部３Ａが夾雑物で詰まった場合でも、この詰まり箇所の上流側においてオーバーフローした排水を仕切り部８の頂点（稜線）を通過して隣接する未使用の他方の排水溝部３Ｂに流入させることができるから、排水が溝形成床材４の外部に漏洩することを抑制することができる。
【００３５】
さらに、使用中の一方の排水溝部３Ａに流入案内される排水の水量が、この排水溝部３Ａでの排水能力以上に一時的に増加した場合でも、オーバーフローした排水を仕切り部８の頂点を通過して隣接する他方の未使用の排水溝部３Ｂに分散流入させることができるから、一時的に増水した排水が溝形成床材４の外部に漏洩することも抑制することができる。
【００３６】
また、溝形成床材４の幅方向両側に設けられた側壁部４Ａの上面には、図１、図８に示すように、取付け基材５の内天井面５ａの幅方向両側部に当接する平坦な受け面４ｂが形成され、この各受け面４ｂの幅寸法が、側壁部４Ａの基部（下端側括れ部）４ｃにおける幅方向での厚みよりも大に構成されているとともに、各側壁部４Ａの外側面には、幅方向外方側に突出する嵌合凸条部４ｄが形成されている。
【００３７】
溝形成床材４の底壁部４Ｂの下面には、当該溝形成床材４の全長にわたる状態で多数の小突条４ｅが幅方向に所定間隔で一体形成されているとともに、溝形成床材４の底壁部４Ｂの底面４ａと両側壁部４Ａの内側面４ｆとで構成される入隅部４ｇが、当該両側壁部４Ａの内側面４ｆよりも幅方向外方側に食い込む状態で弧状面に形成されている。
【００３８】
流入案内具７は、図４〜図９に示すように、排水管６を上方側から差し込み接続可能な円筒状の縦向き姿勢の接続部７Ａと、この接続部７Ａの下端部に対して前下がり傾斜の横向き姿勢で連通する排出筒部７Ｂとを一体成形して構成されている。
【００３９】
排出筒部７Ｂの内径は、接続部７Ａの内径よりも小に構成され、接続部７Ａと排出筒部７Ｂとの連通部には、接続部７Ａの内周面の後端側に接する状態で排出筒部７Ｂの内径に相当する幅寸法の略長円形状の連通孔７ａが形成され、接続部７Ａの内周面の下端側には、連通孔７ａに向かって排水を流動案内する略部分球状の弧状案内面７ｂが形成されている。
【００４０】
排出筒部７Ｂの排出口７ｃの開口端面７ｄは、それの最下端部位が排水流動方向の下流側に最も突出し、且つ、最上端部位が排水流動方向の上流側に最も後退する傾斜面に形成されているとともに、排出筒部７Ｂの排出口７ｃにおける最下端部位には、排水の表面張力を抑えて落水性能を高めるための略三角形状の切欠き部７ｅが形成されている。
【００４１】
この切欠き部７ｅの形状としては、排出筒部７Ｂの排出口７ｃでの排水の表面張力を抑えて落水性能を高めることのできる落水誘発形状であれば、如何なる形状に構成してもよい。
【００４２】
取付け基材５の溝幅方向両側部には、溝形成床材４の両側壁部４Ａの内側面４ｆから受け面４ｂを経由して嵌合凸条部４ｄの上側部位に至る被嵌合部４ｈ対して脱着自在に嵌合する凹状の嵌合部５ｂが形成されているとともに、この取付け基材５の内天井面５ａには、当該取付け基材５の嵌合部５ｂが溝形成床材４の被嵌合部４ｈに嵌合されたとき、溝形成床材４の排水溝３の内側面に接触して当該排水溝を溝幅方向で横断する状態で遮断する堰部９が一体形成されている。
【００４３】
この堰部９により、流入案内具７から両排水溝部３Ａ、３Ｂの一つに流入案内された排水が上流側に逆流することを防止することができる。
【００４４】
また、取付け基材５は、溝形成床材４の排水溝３の内側面に接触する堰部９の存在によって上方側から嵌合操作することができないため、溝形成床材４に対して溝長手方向から摺動状態で嵌合操作するように構成されている。
【００４５】
また、排水位置変更手段Ａを構成するに、取付け基材５を、溝形成床材４に対して溝長手方向での前後向きを変更可能な状態で嵌合操作自在に構成するとともに、この取付け基材５の溝幅方向の一側方に偏位した部位において、流入案内具７を溝長手方向での前後向きを変更操作可能な状態で脱着自在に保持する保持部１０を設けて構成されている。
【００４６】
この保持部１０は、流入案内具７の排出筒部７Ｂの外周面から外方に一体的に突出形成された板状の係合部１０Ａと、当該係合部１０Ａに対して溝長手方向から係合可能な係合溝１０ａを形成する状態で取付け基材５の溝幅方向一側方の偏位部位に設けられた被係合部１０Ｂとから構成されているとともに、この被係合部１０Ｂに対して溝長手方向から係合操作された流入案内具７の係合部１０Ａを設定係合深さ位置に規制する位置規制部１１が設けられている。
【００４７】
被係合部１０Ｂは、取付け基材５の溝幅方向一側方の偏位部位において互いに溝幅方向で相手側に向かって弧状に湾曲する状態で一体形成された一対の被係合側壁部１０Ｂａ，１０Ｂｂから構成され、この一対の被係合側壁部１０Ｂａ，１０Ｂｂは、互いに溝幅方向で離間する側に撓み変形可能に構成されている。
【００４８】
位置規制部１１を構成するに、取付け基材５の係合溝１０ａの底面における幅方向中央位置に、流入案内具７の排出筒部７Ｂの外周面の最下端部位に突出形成された三角形状の係止突起１１ａが溝長手方向から係入自在な係止ガイド溝１１ｂが形成されている。
【００４９】
この係止ガイド溝１１ｂの溝長手方向中央位置には、係止突起１１ａが設定係合深さ位置にまで係入したとき、当該係止突起１１ａの端面に当接してそれ以上の係入移動を阻止するストッパー部１１ｃが形成されているとともに、係止突起１１ａに先行してストッパー部１１ｃを無理越えし、係止突起１１ａの端面がストッパー部１１ｃに当接又は近接したとき、位置保持突起１１ｄがストッパー部１１ｃの背面側に係止して流入案内具７の係合部１０Ａを設定係合深さ位置に保持する半球状の位置保持突起１１ｄが一体形成されている。
【００５０】
この位置保持突起１１ｄの下端と係止ガイド溝１１ｂの底面との上下方向での対向面間の寸法が、ストッパー部１１ｃの高さ寸法よりも僅かに小に構成されていて、流入案内具７の係合部１０Ａ又は被係合部１０Ｂの被係合側壁部１０Ｂａ，１０Ｂｂ若しくはこれら両者の撓み変形で位置保持突起１１ｄがストッパー部１１ｃの上端を無理越え可能に構成されている。
【００５１】
そして、図４に示すように、溝形成床材４の一方の排水溝部３Ａを使用する場合には、取付け基材５を、それの被係合部１０Ｂが一方の排水溝部３Ａに位置する向き姿勢で溝形成床材４の上流側端部に嵌合装着し、この取付け基材５の被係合部１０Ｂに、流入案内具７の係合部１０Ａを溝長手方向の下流側から係合装着する。
【００５２】
この係合装着時に、図５、図６に示すように、流入案内具７の排出筒部７Ｂの位置保持突起１１ｄが、係止突起１１ａに先行してストッパー部１１ｃを無理越えし、係止突起１１ａの端面がストッパー部１１ｃに当接又は近接したとき、位置保持突起１１ｄがストッパー部１１ｃの背面側に係止し、ストッパー部１１ｃを位置保持突起１１ｄと係止突起１１ａの端面との間で挟み込むことにより、流入案内具７の係合部１０Ａが設定係合深さ位置で抜止め保持される。
【００５３】
溝形成床材４の他方の排水溝部３Ｂを使用している状態から一方の排水溝部３Ａを使用する状態に変更する場合には、例えば、図２〜図４に示すように、取付け基材５を、それの被係合部１０Ｂが一方の排水溝部３Ａに位置するように、溝形成床材４に対して溝長手方向での前後向きが逆になる状態に反転して嵌合装着し、この取付け基材５の被係合部１０Ｂに、流入案内具７の係合部１０Ａを溝長手方向の下流側から係合装着する。
【００５４】
このように溝形成床材４の両排水溝部３Ａ、３Ｂに対する流入案内具７の排水位置を変更することによって、流入案内具７の接続部７Ａと排水管６との接続位置も溝形成床材４の溝幅方向に変更されるから、床面１に接着剤等で固定された溝形成床材４の取付け位置とドレイン排水発生機器側から導出される排水管６の取付け位置とが溝幅方向で位置ずれした場合でも、排水位置変更手段Ａによって両排水溝部３Ａ，３Ｂに対する流入案内具７の排水位置を溝幅方向で変更することによって位置ずれを吸収することができる。
【００５５】
尚、図１０に示すように、溝形成床材４の両側壁部４Ａに、取付け基材５及び流入案内具７の装着領域を除く排水溝３の開口部を閉止する蓋部材１２を着脱自在に装着して実施してもよい。
【００５６】
この蓋部材１２の内天井面１２ａと溝形成床材４の仕切り部８の上端との間には、一方の使用中の排水溝部３Ａ内の排水の水位が設定水位に到達したとき、当該排水溝部３Ａから仕切り部８の上部を通過して隣接する他方の未使用の排水溝部３Ｂへ排水をオーバーフローさせるための空隙Ｓが排水溝長手方向の全域に形成されている。
【００５７】
〔第２実施形態〕
図１１、図１２は、取付け基材５の溝幅方向の一側方に偏位した部位において、流入案内具７を溝長手方向での前後向きを変更操作可能な状態で脱着自在に保持する保持部１０の別実施形態を示す。
【００５８】
この保持部１０は、流入案内具７の排出筒部７Ｂの外周面から外方に一体的に突出形成された板状の係合部１０Ａと、当該係合部１０Ａに対して溝長手方向から係合操作可能な係合溝１０ａを形成する状態で取付け基材５の溝幅方向一側方の偏位部位に設けた被係合部１０Ｂとから構成されているとともに、この被係合部１０Ｂに対して溝長手方向から係合操作された流入案内具７の係合部１０Ａを設定係合深さ位置に係止保持する位置規制部１１が設けられている。
【００５９】
被係合部１０Ｂは、取付け基材５の溝幅方向一側方の偏位部位において互いに溝幅方向で相手側に向かって弧状に湾曲する状態で一体形成された一対の被係合側壁部１０Ｂａ，１０Ｂｂから構成され、この一対の被係合側壁部１０Ｂａ，１０Ｂｂは、互いに溝幅方向で離間する側に撓み変形可能に構成されている。
【００６０】
位置規制部１１を構成するに、取付け基材５の係合溝１０ａの底面における溝長手方向両端部の中央位置に係合凹部１１ｅを形成するとともに、流入案内具７の係合部１０Ａの底面には、当該係合部１０Ａが取付け基材５の係合溝１０ａの設定係合深さ位置にまで溝長手方向から係合操作されたとき、取付け基材５の両係合凹部１１ｅに係合する係合凸部１１ｆを突出形成してある。
【００６１】
流入案内具７の係合部１０Ａを取付け基材５の係合溝１０ａに係合する際、この係合部１０Ａの底面に係合凸部１１ｆが存在していても、流入案内具７の係合部１０Ａ又は被係合部１０Ｂの被係合側壁部１０Ｂａ，１０Ｂｂ若しくはこれら両者の撓み変形で係合操作することができる。
【００６２】
〔第３実施形態〕
図１３は、溝形成床材４の両排水溝部３Ａ、３Ｂに対して流入案内具７の排水位置を溝幅方向に変更する排水位置変更手段Ａの別実施形態を示し、これは、取付け基材５の上面における各排水溝部３Ａ、３Ｂの幅方向中間位置に対応する部位に、流入案内具７の排出筒部７Ｂを前下がり傾斜の横向き姿勢で選択的に載置支持する半円筒状の装着凹部１５が形成され、各装着凹部１５には、流入案内具７の排出筒部７Ｂの外周面から下方に一体的に突出形成された係合突起（係合部の一例）１６が選択的に係合可能な係合孔（被係合部の一例）１７を形成して構成されている。
【００６３】
この実施形態では、溝形成床材４の他方の排水溝部３Ａに使用変更する場合でも、取付け基材５の向き姿勢を変更することなく、流入案内具７の係合突起１６を取付け基材５の他方の装着凹部１５に形成されている係合孔１７に挿し替えるだけで済む。
【００６４】
尚、その他の構成は、第１実施形態で説明した構成と同一であるから、同一の構成箇所には、第１実施形態と同一の番号を付記してそれの説明は省略する。
【００６５】
〔第４実施形態〕
図１４、図１５は、溝形成床材４の両排水溝部３Ａ、３Ｂに対して流入案内具７の排水位置を溝幅方向で変更する排水位置変更手段Ａの別実施形態を示し、これは、取付け基材５の上面に溝幅方向に沿うガイドレール（係合部の一例）１９を一体形成するとともに、流入案内具７の排出筒部７Ｂには、当該排出筒部７Ｂが前下がり傾斜の横向き姿勢にある状態でガイドレール１９にスライド移動自在に嵌合する摺動嵌合溝部（被係合部の一例）２０を形成して構成されている。
【００６６】
流入案内具７を溝幅方向にスライド操作して排水位置を変更する際、取付け基材５のガイドレール１９と流入案内具７の摺動嵌合溝部２０との間に存在する隙間（融通）により、両排水溝部３Ａ、３Ｂを区画形成する仕切り部８を乗り越え移動可能な後退姿勢に変更可能に構成されている。
【００６７】
尚、その他の構成は、第１実施形態で説明した構成と同一であるから、同一の構成箇所には、第１実施形態と同一の番号を付記してそれの説明は省略する。
【００６８】
〔その他の実施形態〕
（１）上述の実施形態では、溝形成床材４の両排水溝部３Ａ、３Ｂを左右対称形に構成して、両排水溝部３Ａ、３Ｂの排水能力を同一に構成したが、一方の排水溝部３Ａの排水能力を他方の排水溝部３Ｂの排水能力よりも小又は大に構成してもよい。
【００６９】
（２）上述の実施形態では、溝形成床材４の仕切り部８を、排水溝３の底面４ａにおける両排水溝部３Ａ、３Ｂの境界部位での高さがオーバーフロー水位と同じ位置になる状態で当該排水溝３の底面４ａ全体を山形状に形成することにより構成したが、この溝形成床材４の仕切り部８を、両排水溝部３Ａ、３Ｂの水平な底面４ａの境界相当部位から立設される仕切り板から構成してもよい。
【００７０】
（３）上述の実施形態では、取付け基材５に、溝形成床材４の両排水溝部３Ａ、３Ｂの一方に流入した排水が上流側から外部に漏洩することを阻止する堰部９を一体形成したが、この堰部を取付け基材５とは別体に構成してもよい。
【００７１】
（４）上述の実施形態では、仕切り部８の上端の高さを溝形成床材４の両側壁部４Ａの上端の高さよりも少し低く形成して、一方の使用中の排水溝部３Ａ内の排水の水位が設定水位に到達したとき、この使用中の排水溝部３Ａから仕切り部８の上端を通過して隣接する他方の排水溝部３Ｂへ排水をオーバーフローさせる構成にしたが、仕切り部８の上端の高さを溝形成床材４の両側壁部４Ａの上端の高さと同一に形成してオーバーフローさせない構成にしてもよい。
【００７２】
（５）上述の実施形態では、一方の排水溝部３Ａの底面部と他方の排水溝部３Ｂの底面部とを幅方向一端側部位が最低位となる傾斜面に形成したが、両排水溝部３Ａ，３Ｂの各底面部をそれの幅方向中間部位が最低位となるＶ字状の傾斜面に形成してもよい。
さらに、両排水溝部３Ａ、３Ｂの底面部の一方だけを、幅方向一端側部位又は幅方向中間部位が最低位となる傾斜面に形成してもよい。
【００７３】
（６）上述の第1実施形態では、溝形成床材４の排水溝３を上方に開口させる実施形態と、取付け基材５及び流入案内具７の装着領域を除く排水溝３の開口部を蓋部材１２で閉止する実施形態について説明したが、この実施形態に限定されるものではなく、例えば、溝形成床材４のうち、取付け基材５及び流入案内具７の装着領域を除く部分を筒状に一体形成して実施してもよい。
【００７４】
（７）上述の実施形態では、溝形成床材４の排水溝３を幅方向で二つの排水溝部３Ａ，３Ｂに区画形成したが、この排水溝３を幅方向で三つ以上の排水溝部に区画形成してもよい。
【００７５】
（８）排水位置変更手段Ａとしては上述の実施形態のものに限定されるものではなく、例えば、溝形成床材４に対して流入案内具７の排水位置をネジ機構で溝幅方向に変更するように構成してもよい。
【産業上の利用可能性】
【００７６】
以上説明したように、排水性能の向上と夾雑物の堆積抑制及び溝形成床材の溝掃除の容易化とを図ることができるとともに、溝形成床材の取付け位置と排水管の取付け位置とが溝幅方向で位置ずれしている場合の対応も容易に行うことのできるドレイン排水処理装置を提供することができる。
【符号の説明】
【００７７】
Ａ        排水位置変更手段
３        排水溝
３Ａ      排水溝部
３Ｂ      排水溝部
４        溝形成床材
４Ａ      側壁部
４ｈ      被嵌合部
５        取付け基材
５ｂ      嵌合部
６        排水管
７        流入案内具
８        仕切り部
９        堰部
１０      保持部
１０Ａ    嵌合部
１０Ｂ    被嵌合部
１１      位置規制部
【図１】
2014224368.tif 000003
【図２】
2014224368.tif 000004
【図３】
2014224368.tif 000005
【図４】
2014224368.tif 000006
【図５】
2014224368.tif 000007
【図６】
2014224368.tif 000008
【図７】
2014224368.tif 000009
【図８】
2014224368.tif 000010
【図９】
2014224368.tif 000011
【図１０】
2014224368.tif 000012
【図１１】
2014224368.tif 000013
【図１２】
2014224368.tif 000014
【図１３】
2014224368.tif 000015
【図１４】
2014224368.tif 000016
【図１５】
2014224368.tif 000017